(57)【要約】【課題】  防雪柵、道路標識等の支柱を道路に設置するに際し、道路にパイプを埋め立ててその中に支柱をセットし、コンクリートを流し込んで固定する方法に関し、コンクリートを流し込む前に、パイプと支柱の位置関係を簡単に調整して、動かないように保持できる治具を提供する。【解決手段】  直径３５ｃｍ程、高さ２０ｃｍ程の半円筒形のもの２つ抱き合わせてボルト−ナットで締め付けてパイプを保持するフランジ付き金具と、一辺１５ｃｍ程の支柱をやはり抱き合わせてボルト−ナットで締め付けて保持する取っ手付きの高さ１５ｃｍ程の金具をそれぞれパイプと支柱に取り付け、それら金具をＬ金具及びボルト−ナットで連結するようになっているが、ボルトを通す穴が長穴になっていて、位置関係を調整して保持できるようにする。【選択図】図１
0003133413.tif 000002
【実用新案登録請求の範囲】
【請求項１】
道路に垂直に埋め立てた直径３５ｃｍ程、高さ７０ｃｍ〜１ｍのパイプの中に、断面の一辺１５ｃｍ程の支柱を立ててコンクリートを流し込んで固定するに当たり、パイプと支柱を一時保持しておくための治具で、パイプ側に取り付けるものとして、直径３５ｃｍ程、高さ２０ｃｍ程の半円筒形のもの２つ抱き合わせてボルト−ナットで締め付けてパイプに取り付けるようになっており、上端にはパイプの円周の外に向かって水平に幅５ｃｍ程のフランジが取り付けてある金具と、やはり抱き合わせてボルト−ナットで締め付けて支柱側に取り付ける、左右に長さ１５ｃｍ程の取っ手の付いた高さ１５ｃｍ程の金具をそれぞれパイプと支柱に取り付け、その取っ手の端部にＬ金具を取り付け、そのＬ金具をフランジの上に載せボルト−ナットで連結するようにしてあるが、この時取っ手部に穿いているＬ金具取付け用穴、とフランジに取り付けるためにＬ金具に穿いている穴が長穴になっており、支柱の位置をパイプに対して前後左右に動かして調整して固定できるようになっていることを特徴とする支柱固定補助具。
【考案の詳細な説明】
【技術分野】
【０００１】  防雪柵、道路標識等、道路に設置するものの支柱を道路に固定する際に使用する治具に関する。
【背景技術】
【０００２】  従来、防雪柵、道路標識、街路灯等を道路に設置する際に昔から取られた方法は、設置する場所の道路を掘り、支柱のコンクリート製基礎を作るための、コンクリート型枠、鉄筋、アンカーボルト等をセットし、コンクリートを流し込んで固まったのち、それから立ち上がっているアンカーボルトに支柱を固定する方法があった。【０００３】  既に作られているコンクリート製の基礎を道路に掘った穴に立てて、周りを埋め戻して固定し、その基礎に植えてあるアンカーボルトに支柱を固定する方法があった。【０００４】  それに対し、最近良く使われる方法として支柱を立てるべき位置に、支柱の直径のほぼ倍の直径、通常３５ｃｍ程、長さ７０ｃｍ〜１ｍの鋼製のパイプを、地面に掘った穴に、地面から少し頭が出る程度にまず埋め立てる。【０００５】  そのパイプの中に支柱を立てて、コンクリートを流し込んで固め、パイプと支柱を一体化して支柱を固定するのであるが、コンクリートを流し込む前に支柱を所定の位置にセットして動かないようにしておく必要があった。道路標識のような独立した支柱ならば支柱をパイプの中心に固定すればよいが防雪柵のように隣の支柱との位置関係の正確さが要求される場合は簡単ではなかった。【０００６】  実際に行われていた方法は支柱をパイプの中に立てて位置決めを行った後、パイプの内側で支柱とパイプを鉄筋で点付け溶接をして保持した。鉄筋は縦方向、横方向に張るので井桁状になることが多かった。この方法は現場に溶接のための機材を持ち込まなければならず、溶接なので一旦付けてしまうと再調整が難しかった。
【考案の開示】
【考案が解決しようとする課題】
【０００７】  防雪柵、道路標識等の支柱を道路に設置するに際し、道路にパイプを埋め立ててその中に支柱をセットし、コンクリートを流し込んで固定する方法に関し、コンクリートを流し込む前に、パイプと支柱の位置関係を簡単に調整して動かないように保持できる方法が求められていた。
【課題を解決するための手段】
【０００８】  本考案は上記問題に鑑みてなされたものであり、溶接で保持するのではなく、パイプを保持する金具と支柱を保持する金具をそれぞれパイプと支柱に取り付け、それら金具をＬ金具及びボルトナットで連結するようになっているが、ボルトを通す穴が長穴になっていて、位置関係を調整した後、保持できるようにした治具を提供する。
【考案の効果】
【０００９】  以上述べてきたように、本考案の支柱固定補助具を使用すれば、鉄筋の点付け溶接の保持法に比べて、溶接機材を現場に運び込む必要が無く、かつ長穴を使ったボルト−ナットによる固定法なのでスムーズに位置の調整が行え、作業効率は向上する。
【考案を実施するための最良の形態】
【００１０】まずパイプを抱いて保持するための半円筒形の金具２つを合わせてパイプに取り付け、ボルト−ナットで固定する。この金具の上端には水平にフランジが取り付けてある。支柱を保持する金具も二つ割りになっており、支柱を抱き込んで、ボルト−ナットで支柱に固定するようになっている。また支柱保持金具の中心から左右に取っ手部が伸びており、取っ手の端部にＬ金具を取り付け、そのＬ金具をフランジの上に載せ、Ｌ金具とフランジをボルト−ナットで固定する。この時取っ手部に穿いているＬ金具取付け用穴、とフランジに取り付けるためにＬ金具に穿いている穴が長穴になっており、支柱の位置をパイプに対して前後左右に動かして調整して固定できるようになっている。
【実施例】
【００１１】  本考案の支柱固定補助具を図面に基づいて説明すると、図１は全体を示す斜視図でありパイプと支柱は点線で示してある。本例は支柱が一辺１５ｃｍ程の角柱あるいはＨ字型鋼の場合を取り上げている。支柱を両側から抱いて保持する金具として、支柱保持金具１，１’は左右同じ形をしており、ボルト−ナット２を締めて支柱に固定する。この保持金具それぞれ左右の中心部から、長さ１５ｃｍの取って部３が出ており、取っ手部の端部には、その取っ手部を両面から挟むようにＬ金具４がボルト−ナットで取り付けてある。【００１２】  支柱保持金具１の片方が図２に斜視図で示してある。Ｌ金具と結合させるためのボルト穴５は左右に動かせるように長穴にしてある。Ｌ金具４の斜視図が図３に示してあるがフランジに取り付けるためのボルト穴６も前後に動かせるように長穴にしてある。【００１３】  パイプ上部にはパイプを抱いて固定できる直径３５ｃｍ程の半円筒形のパイプ保持金具７がパイプを挟み込んでボルト−ナット８でパイプに固定できるようにしてある。このパイプ保持金具天頂部には幅５ｃｍのフランジ９が取り付けてある。支柱保持金具１はこのフランジ９の上に載せて、取っ手部３、Ｌ金具４を介してボルト−ナットで固定するが、取っ手部３のボルト穴５とＬ金具４のボルト穴６が長穴なので支柱をパイプに対して前後左右に動かして位置を決めてから固定することができる。【００１４】  支柱の位置決めをして、その位置にしっかりと保持した後、支柱下部とパイプの間にコンクリートを流し込んでコンクリートが固化するのを待ち、固化した後支柱保持金具は取り外して次の使用に供することができる。
【産業上の利用可能性】
【００１５】  以上述べたように本考案の支柱保持金具を使用すれば支柱の位置決めと保持は簡単に行え、コンクリートが固化した後は外して使い廻しができるので、余分な資材を使うことなく能率的に仕事が進められ、経済的にも有効である。
【図面の簡単な説明】
【００１６】
【図１】全体を示す斜視図
【図２】支柱保持金具の片方を示す斜視図
【図３】Ｌ金具の斜視図
【符号の説明】
【００１７】        １，１’  支柱保持金具
２  ボルト−ナット
３  取っ手部
４  Ｌ金具
５  Ｌ金具と結合させるためのボルト穴
６  フランジに取り付けるためのボルト穴
７  パイプ保持金具
８  ボルト−ナット
９  フランジ
【図１】
0003133413.tif 000003
【図２】
0003133413.tif 000004
【図３】
0003133413.tif 000005